(57)【要約】      （修正有）【課題】周波数リパッキング実施の際に、視聴者に従来周波数での放送終了を知らせる事により、視聴者に受信できない理由を報知し、周波数リパッキングによる受信不能状態を受信装置の故障と混同することのない受信装置を提供する。【解決手段】放送波により伝送される情報を記憶する記憶部と、前記情報を用いて判定処理を行う判定部を有し、放送波を受信する受信装置であって、前記放送波により伝送される情報は、放送周波数変更日時情報と変更前周波数情報を含み、かつ、前記放送周波数変更日時情報と前記変更前周波数情報は対応付けて周波数変更日以降に前記記憶部に記憶されており、前記判定部は、受信不能の際、前記変更前周波数情報と選局している周波数が一致しているか及び現在の日時が前記放送周波数変更日時情報の日時以降かを判定し、前記判定部の判定結果にもとづき、受信不能の理由を報知する。【選択図】図１
2012039213.tif 000002
【特許請求の範囲】
【請求項１】
放送波により伝送される情報を記憶する記憶部と、前記情報を用いて判定処理を行う判定部を有し、放送波を受信する受信装置であって、
前記放送波により伝送される情報は、放送周波数変更日時情報と変更前周波数情報を含み、かつ、前記放送周波数変更日時情報と前記変更前周波数情報は対応付けて周波数変更日以降に前記記憶部に記憶されており、
前記判定部は、受信不能の際、前記変更前周波数情報と選局している周波数が一致しているか及び現在の日時が前記放送周波数変更日時情報の日時以降かを判定し、
前記判定部の判定結果にもとづき、受信不能の理由を報知する事を特徴とする受信装置。
【請求項２】
前記受信装置は、周波数サーチ機能を有し、
前記判定された結果にもとづき、視聴者に前記周波数サーチの必要性を報知する事を特徴とする請求項１記載の受信装置。
【請求項３】
前記受信装置は、周波数サーチ機能を有し、
前記現在の日時が前記放送周波数変更日以降で、かつ前記周波数サーチが実行された場合、前記記憶部に記憶した前記放送周波数変更日時情報と前記変更前周波数情報を消去または無効にする事を特徴とする請求項１または２記載の受信装置。
【発明の詳細な説明】
【技術分野】
【０００１】
本発明は、デジタル放送受信装置、より詳細には、放送周波数変更に対応した地上デジタル放送受信装置およびデジタル方式のケーブル放送受信装置全般（以下、両者を総称し、受信装置）に関する。
【背景技術】
【０００２】
国内の地上テレビジョン放送は２０１１年７月にデジタル放送へ完全移行する。その後、デジタル放送の放送周波数再配置が行われる。これを周波数リパッキングという。この実施時期に合わせ、従来の周波数での放送を終了し、新たな周波数での放送開始を知らせる宣伝などを、放送を通じて視聴者に知らせる事が予想される。また、放送局から受信装置側に対し、再配置される周波数へ周波数追従するための情報が送出される。これによって視聴者の手を煩わす事なく、受信装置本体が周波数リパッキングに対応することになる。
【０００３】
周波数追従するための情報としては、周波数リパッキング実施時期に先行し、放送信号を用いて、放送周波数変更情報と放送対象地域の対象地域情報が送出される。なお、前記放送周波数変更情報は、変更前周波数情報と変更後周波数情報を含んでいる。一方、受信装置は初回起動時に、受信装置の設置場所情報を視聴者に入力させる機能を有している。受信装置は、前記放送周波数変更情報と前記対象地域情報を取得し、前記設置場所情報と前記対象地域情報を比較して、両者が同一の地域を示すものであると判定すれば、前記変更前周波数に該当する受信周波数を前記変更後周波数として設定する。
【０００４】
周波数リパッキングに関する技術として、例えば非特許文献１には、周波数リパッキングに際し放送局より送出される視聴者宛メッセージを含む情報を取得した受信装置が、該情報に含まれる対象地域、変更開始年月日、変更作業期間などを視聴者宛てにメッセージ表示することが開示されている。
【先行技術文献】
【特許文献】
【０００５】
【非特許文献１】ＡＲＩＢ  ＴＲ−Ｂ１４  第一分冊  １／２  ４．０版  （平成２１年１２月１６日改定）
【発明の概要】
【発明が解決しようとする課題】
【０００６】
しかしながら、非特許文献１は、視聴者宛てメッセージの表示を目的とするものの、周波数リパッキングの発生タイミングで視聴者に放送周波数変更の発生を表示する技術ではない。このため、周波数リパッキング日時をまたいで視聴者が放送波を受信した場合、放送周波数変更によって生じる受信不能状態を、受信装置の故障や放送事故などによるものと混同する可能性があった。
【０００７】
また、受信装置側に周波数追従をさせるための情報には、放送周波数変更情報と共に対象地域情報が含まれており、これを受信装置が取得判別して、自動で周波数変更設定を行う。しかし、受信装置は、越境受信（本来、放送対象としない地域での受信）も可能であり、放送周波数変更情報と共に送出される対象地域情報の地域識別は、予め保持している設置場所情報の地域識別と値が異なるため、越境受信の場合には、対象地域外として放送周波数変更情報を取得しても自動での周波数変更設定が行われない。このため、受信装置によっては、越境受信の周波数リパッキング対応を行わない、もしくは、受信装置が自動的に周波数サーチを実行して周波数変更設定を行うものと予想される。
【０００８】
しかしながら、前記周波数リパッキング対応を行なわない場合、周波数リパッキング後は受信不能状態となり、前記周波数サーチをする場合では、全放送周波数を検査するため、周波数リパッキング後、変更後の周波数を捕捉し再び視聴できるまでに、少なくとも数十秒程度、視聴者は待たされる。この間に受信装置画面には「受信できません」や「周波数サーチ中です」などのメッセージが表示されることになるため、前述したように、視聴者は、これら周波数リパッキングによる受信不能状態を、故障や受信障害と混同することになる。
【０００９】
そこで、本発明は、上記の問題に解決するものであり、その目的は、周波数リパッキング実施の際に、視聴者に従来周波数での放送終了を知らせる事により、視聴者に受信できない理由を報知し、周波数リパッキングによる受信不能状態を受信装置の故障と混同することのない受信装置を提供することにある。
【課題を解決するための手段】
【００１０】
上述の課題を解決するために、本発明の受信装置は、放送波により伝送される情報を記憶する記憶部と、前記情報を用いて判定処理を行う判定部を有し、放送波を受信する受信装置であって、前記放送波により伝送される情報は、放送周波数変更日時情報と変更前周波数情報を含み、かつ、前記放送周波数変更日時情報と前記変更前周波数情報は対応付けて周波数変更日以降に前記記憶部に記憶されており、前記判定部は、受信不能の際、前記変更前周波数情報と選局している周波数が一致しているか及び現在の日時が前記放送周波数変更日時情報の日時以降かを判定し、前記判定部の判定結果にもとづき、受信不能の理由を報知する事を特徴とする。
【００１１】
更に、前記受信装置は、周波数サーチ機能を有し、前記判定された結果にもとづき、視聴者に前記周波数サーチの必要性を報知する事を特徴とする。
【００１２】
好ましくは、前記受信装置は、周波数サーチ機能を有し、前記現在の日時が前記放送周波数変更日以降で、かつ前記周波数サーチが実行された場合、前記記憶部に記憶した前記放送周波数変更日時情報と前記変更前周波数情報を消去または無効にする事を特徴とする。
【発明の効果】
【００１３】
周波数リパッキング実施の際に、視聴者に従来周波数での放送終了を知らせる事により、視聴者に受信できない理由を報知し、周波数リパッキングによる受信不能状態を受信装置の故障と混同することのない受信装置を提供することにある。
【図面の簡単な説明】
【００１４】
【図１】本発明に係る受信装置の構成ブロック図である。
【図２】受信装置が選局ボタン操作で周波数選局するために必要な、放送周波数と選局ボタンを対応付けた「選局テーブル情報」である。
【図３】本発明に係る放送周波数変更日時情報と変更前周波数情報の対応付けテーブル生成の流れを示すフローチャートである。
【図４】本発明に係る放送周波数変更日時情報と変更前周波数情報の対応付けテーブルである。
【図５】本発明に係る選局操作による受信状態メッセージ表示動作のフローチャートである。
【発明を実施するための形態】
【実施例】
【００１５】
本発明の一実施例に係る受信装置、特にデジタル放送受信装置について、図１及び図２を用いて説明する。図１は、受信装置の構成ブロック図であり、ＯＦＤＭチューナ１と、ＤＥＭＵＸ（ＤｅＭｕｌｔｉｐｌｅｘｅｒ）２と、ＭＰＥＧデコーダ３と、ビデオ処理部４と、表示部５と、判定部および処理部としてＣＰＵ６と、記憶部として揮発性メモリ７および不揮発性メモリ８と、赤外線受信部９を備え、リモコン１０により遠隔操作される。そして、
図２は、リモコン選局ボタンと周波数の対応付けを示すテーブル１００である。
【００１６】
図１と図２をもとに、放送信号受信から映像表示までの信号の流れおよび動作を説明する。ＣＰＵ６は、赤外線受信部９と接続されており、受信装置全体の制御部や判定部として機能する。赤外線受信部９は、リモコン１０の選局ボタンの操作に基づく赤外線信号を受信する。この赤外線信号には、選局ボタンの番号を示す情報が含まれる。ＣＰＵ６は、赤外線受信部９から選局ボタンの番号を示す情報を受け取り、不揮発性メモリ８に記憶されたテーブル１００に照らし対応する周波数を抽出する。ＣＰＵ６は、抽出された周波数をＯＦＤＭチューナ１に設定し、選局を実施する事で放送信号を受信する。ＯＦＤＭチューナ１はＯＦＤＭ信号をデジタル復調しＴＳ（トランスポート・ストリーム）信号に変換してＤＥＭＵＸ２へ入力する。ＤＥＭＵＸ２は、ＴＳ信号をＭＰＥＧ形式のデータにデコードしＭＰＥＧデコーダ３に出力する他、 ＳＩ（Ｓｙｓｔｅｍ  Ｉｎｆｏｒｍａｔｉｏｎ）情報やＳＤＴＴ（Ｓｏｆｔｗａｒｅ  Ｄｏｗｎｌｏａｄ  Ｔｒｉｇｇｅｒ  Ｔａｂｌｅ）、エンジニアリングサービスなどの映像音声以外のデータを取り出せる。ＭＰＥＧ形式のデータを受け取ったＭＰＥＧデコーダ３は、デコード処理を行ってビデオ信号を生成しビデオ処理部４へ入力する。ビデオ処理部４は、ビデオ信号を画面表示可能な信号に変換し、表示部５に映像が表示される。なお、ビデオ処理部４は、必要に応じＣＰＵ６からの指示でＯＳＤの生成およびビデオ信号への重畳を行う。
【００１７】
図３は、本発明に係る放送周波数変更日時情報と変更前周波数情報の対応付けテーブル生成の流れを示すフローチャートである。
【００１８】
図４は、本発明に係る放送周波数変更日時情報と変更前周波数情報の対応付けテーブル２００である。
【００１９】
図３と図４をもとに、処理の流れをステップ（以下、ステップを「Ｓ」と略す。）毎に説明する。なお、本処理は周波数リスト変更情報のダウンロードによって必要情報が取得される。また、該ダウンロードは、先に送出されるＳＤＴＴを取得する事によって、後続のエンジニアリングサービスのデータを特定する識別情報とその送出日を取得する事ができ、該送出日に該識別情報に合致するエンジニアリングサービスのデータを取得する事で実施される。また、放送周波数変更情報はエンジニアリングサービスのデータにのみ含まれ、放送周波数変更情報には変更前周波数情報と変更後周波数情報が含まれている。更に、放送周波数変更日時情報はＳＤＴＴとエンジニアリングサービスのデータの双方に含まれる。
【００２０】
Ｓ１１において、ＣＰＵ６は、放送局から逐次送信されるＳＤＴＴに含まれるバージョン番号にもとづき、モジュールのバージョンが変更されたか否かを判断する。ここで、バージョン番号は、ある地域で放送局が開局するなどして周波数の変更がある場合に変更されるものとする。これらバージョンが変更された場合、ＹＥＳと判定しＳ１２へ移行する。バージョンが変更されなければＮＯと判定し、以後送信されるＳＤＴＴについてＳ１１の処理を繰り返す。
【００２１】
次のＳ１２にて、ＣＰＵ６は、ＳＤＴＴが含む対象地域識別情報が受信機設置位置情報と一致するか、もしくは近隣地域（例えば、受信機が千葉県に設置の場合、東京都や神奈川県など、放送信号が受信可能な距離に位置する地域）の対象地域識別情報と一致する場合、ＹＥＳと判定し、Ｓ１３へ移行する。それ以外はＮＯと判定し、再びＳＤＴＴのバージョン変更を監視するためＳ１１へ移行する。
【００２２】
そして、Ｓ１３において、ＣＰＵ６は、ＳＤＴＴに含まれる放送周波数変更日時情報と、エンジニアリングサービスのデータが送出される送出日時情報を取得して不揮発性メモリ８に記憶しＳ１４へ移行する。なお、該ＳＤＴＴに含まれる放送周波数変更日時情報を使用せず、エンジニアリングサービスのデータに含まれる放送周波数変更日時情報を使用する構成も可能であり、その場合は、該ＳＤＴＴに含まれる放送周波数変更日時情報の記憶は不要である。
【００２３】
次のＳ１４では、ＣＰＵ６は、不揮発性メモリ８に記憶された送出日時情報をもとにエンジニアリングサービスのデータを取得し、揮発性メモリ７に記憶しＳ１５へ移行する。
【００２４】
そして、Ｓ１５において、ＣＰＵ６は、揮発性メモリ７に記憶されたエンジニアリングサービスのデータから変更前周波数を取得し、テーブル１００に照らし選局ボタンを抽出して、変更後周波数と選局ボタンを対応付けてテーブル１００を更新し、不揮発性メモリ８に記憶し、Ｓ１６へ移行する。尚、更新されたテーブル１００は、この時点で選局処理に際し無効であり、周波数リパッキング実施日時が到来するまで従来のテーブル１００が使用される。
【００２５】
そして、最終のＳ１６にて、ＣＰＵ６は、不揮発性メモリ８に記憶された放送周波数変更日時情報と揮発性メモリ７に記憶された変更前周波数情報の組み合わせ情報か、もしくは、揮発性メモリ７に記憶されたエンジニアリングサービスのデータから放送周波数変更日時情報と変更前周波数情報を抽出し組み合わせた情報でテーブル２００を構成し、不揮発性メモリ８に記憶し、本処理を終了する。本処理を実施する事で、受信装置は周波数リパッキング実施に備え、変更後の周波数を取得する事が出来ると同時に、視聴者が周波数リパッキング実施日時をまたいで変更前の周波数で受信し続けた場合、発生する周波数リパッキングに起因の受信不能状態について、その理由を知らせるのに用いるテーブル情報を記憶した事になる。
【００２６】
続いて、変更前の周波数で受信し視聴し続けた場合に、周波数リパッキングを境に受信不能メッセージが表示される処理について、図５を用いて説明する。
【００２７】
図５は、本発明に係る受信装置選局操作による受信状態メッセージ表示動作のフローチャートである。
【００２８】
まず、Ｓ２１にて、ＣＰＵ６は選局操作を実行してＯＦＤＭチューナ１に周波数を設定し、Ｓ２２へ移行する。次のＳ２２で、ＣＰＵ６はＯＦＤＭチューナ１からの受信状態を示す信号を監視し受信成功の場合、ＹＥＳと判定しＳ２２の処理を繰返し、監視を継続する。受信に成功しない場合、ＮＯと判定しＳ２３へ移行する。
【００２９】
さらに、Ｓ２３にてＣＰＵ６は、Ｓ２１に設定した周波数をテーブル２００の変更前周波数情報に照らし合わせて、一致する変更前周波数があればＹＥＳと判定しＳ２４へ移行する。一致する周波数が無ければＮＯと判定され、Ｓ２６へ移行する。Ｓ２４では、ＣＰＵ６は、テーブル２００に照らし合わせ、Ｓ２３において一致した変更前周波数情報に対応付けられた放送周波数変更日時情報と受信装置が保持している現在の日時を比較し、前記放送周波数変更日時情報にある変更日以降である場合、ＹＥＳと判定され、Ｓ２５へ移行する。また、該発生日以前であると判定された場合、Ｓ２６へ移行する。
【００３０】
Ｓ２５では、ＣＰＵ６は、ビデオ処理部４で「このチャンネルは、放送周波数が変更になりました」などのＯＳＤを生成させ、表示部５でメッセージ表示して、Ｓ２２へ移行する。なお、周波数リパッキング後も継続視聴する手段として、一般的な受信装置には周波数サーチ機能があり、該機能により変更後の周波数を探し当てる事ができるので、メッセージに「周波数サーチを実行してください」などの周波数サーチ機能実行を促す内容を表示させても良い。
【００３１】
また、周波数サーチ機能が実行された場合は、リモコン等による選局操作に対応付けるために、テーブル１００の周波数情報を変更後周波数に書き換える必要がある。この時、テーブル２００の変更前周波数情報は参照される事がなくなるため、消去または無効化し、誤動作につながる事がないようにする。Ｓ２６では、ＣＰＵ６は、ビデオ処理部４で「受信不能です」などのＯＳＤを生成し、表示部５でメッセージ表示して、Ｓ２２へ移行する。Ｓ２７では、ＣＰＵ６は、ＯＦＤＭチューナ１からの受信状態を示す信号を監視し、受信状態が改善されれば、ＹＥＳと判定し、Ｓ２８へ移行する。改善されなければ、ＮＯと判定し、Ｓ２７の処理を繰返す。
【００３２】
本実施例では、ＯＳＤによって視聴者にメッセージを伝える例を説明したが、他の手段として、警告ランプによる点灯や音声により知らせる手段であっても良く、周波数リパッキングが発生した事や、そのままでは継続視聴ができない事、継続視聴のための必要操作などが、視聴者に伝達が可能で有れば、伝達手段や表示内容に限定されない事は言うまでもない。
【００３３】
以上のようにして、周波数リパッキング発生タイミングで視聴者に従来周波数での放送終了を知らせる事ができ、これによって視聴者は受信障害の理由を把握し、受信装置の故障や放送事故と区別することができる。
【産業上の利用可能性】
【００３４】
本発明に係る受信装置は、地上デジタル放送受信装置全般およびデジタル方式のケーブル放送受信装置全般に広く適用することができる。
【符号の説明】
【００３５】
１  ＯＦＤＭチューナ
２  ＤＥＭＵＸ
３  ＭＰＥＧデコーダ
４  ビデオ処理部
５  表示部
６  ＣＰＵ
７  揮発性メモリ
８  不揮発性メモリ
９  赤外線受信部
１０  リモコン
１００、２００  テーブル
【図１】
2012039213.tif 000003
【図２】
2012039213.tif 000004
【図３】
2012039213.tif 000005
【図４】
2012039213.tif 000006
【図５】
2012039213.tif 000007